(57)【要約】【課題】カラオケ装置において商品購入機会を設けるとともに、その販売促進を図る。【解決手段】本発明に係るカラオケ装置は、演奏処理の期間中、商品情報に基づいて商品に関連する情報を表示手段に表示させるとともに、ユーザにより商品指定操作が行われた場合、表示させている商品情報を購入対象として指定する商品指定処理と、商品指定処理にて指定された商品の購入を指示する商品購入情報を通信手段を介して送信する送信処理と、を実行することを特徴とする。【選択図】図８
2014186214.tif 000002
【特許請求の範囲】
【請求項１】
ユーザ情報と楽曲識別情報を対応付けた予約情報を受け付ける楽曲指定処理と、
楽曲指定処理にて受け付けた楽曲を演奏手段に演奏させる演奏処理と、
前記演奏処理の期間中、商品情報に基づいて商品に関連する情報を表示手段に表示させるとともに、ユーザにより商品指定操作が行われた場合、表示させている商品情報を購入対象として指定する商品指定処理と、
商品指定処理にて指定された商品の購入を指示する商品購入情報を通信手段を介して送信する送信処理と、を実行することを特徴とする
カラオケ装置。
【請求項２】
前記商品指定処理にて、前記表示手段に表示させる商品は、前記演奏処理にて演奏されている楽曲に関連づけられたものであることを特徴とする
請求項１に記載のカラオケ装置。
【請求項３】
ユーザが歌唱する様子を撮影可能なカメラからの映像を入力可能とし、
前記制御手段は、カメラで撮影されたユーザの所作に基づいて商品指定操作を判定することを特徴とする
請求項１または請求項２に記載のカラオケ装置。
【請求項４】
前記商品指定処理における商品指定操作は、入力手段の操作により実行されることを特徴とする
請求項１から請求項３の何れか１項に記載のカラオケ装置。
【請求項５】
前記演奏処理の終了後、前記商品指定処理で指定された商品の購入をユーザに確定させる確定処理を実行することを特徴とする
請求項１から請求項４の何れか１項に記載のカラオケ装置。
【請求項６】
前記確定処理は、前記カラオケ装置を遠隔操作するリモコン装置で行われることを特徴とする
請求項５に記載のカラオケ装置。
【請求項７】
前記確定処理は、ユーザの所持する情報処理端末で行われることを特徴とする
請求項５に記載のカラオケ装置。
【発明の詳細な説明】
【技術分野】
【０００１】
本発明は、歌唱を楽しむことのできるカラオケ装置に関するものである。特に、商品を購入可能なカラオケ装置に関する。
【背景技術】
【０００２】
従来、楽曲の演奏にあわせて歌唱を楽しむカラオケ装置が知られている。このようなカラオケ装置では、楽曲が演奏されていない期間中などにリクエスト順位や各種広告を表示することで、ユーザに対して各種情報を提供することが行われている。
【０００３】
このようなカラオケ装置では、その情報発信機能を利用して通信販売アイテムを購入可能とする試みも行われている。特許文献１には、歌唱期間中に紹介アイテムを表示させるとともに、歌唱期間終了後、表示した紹介アイテムを購入可能とするカラオケシステムが開示されている。このカラオケシステムを利用することで、ユーザは紹介アイテムを通信販売で購入することが可能である。
【先行技術文献】
【特許文献】
【０００４】
【特許文献１】特開２００７−１７１７２０号公報
【発明の概要】
【発明が解決しようとする課題】
【０００５】
この特許文献１で開示するカラオケシステムでは、歌謡期間中に紹介アイテムを表示し、歌唱終了後に紹介アイテムの購入を指定するものであるため、紹介アイテムの表示時に商品の購入、あるいは、商品の購入の意思を示すことができない。そのため、歌唱終了後、ユーザに提示される紹介アイテムは、ユーザの所望しないものも多く含まれることとなり、ユーザは紹介アイテムを閲覧することなく他の操作を行うことが考えられる。
【課題を解決するための手段】
【０００６】
そのため本発明に係るカラオケ装置は以下の構成を採用することを特徴としている。
本発明に係るカラオケ装置は、
ユーザ情報と楽曲識別情報を対応付けた予約情報を受け付ける楽曲指定処理と、
楽曲指定処理にて受け付けた楽曲を演奏手段に演奏させる演奏処理と、
前記演奏処理の期間中、商品情報に基づいて商品に関連する情報を表示手段に表示させるとともに、ユーザにより商品指定操作が行われた場合、表示させている商品情報を購入対象として指定する商品指定処理と、
商品指定処理にて指定された商品の購入を指示する商品購入情報を通信手段を介して送信する送信処理と、を実行することを特徴とする。
【０００７】
さらに本発明に係るカラオケ装置において、
前記商品指定処理にて前記表示手段に表示させる商品は、前記演奏処理にて演奏されている楽曲に関連づけられたものであることを特徴とする。
【０００８】
さらに本発明に係るカラオケ装置は、
ユーザが歌唱する様子を撮影可能なカメラからの映像を入力可能とし、
前記制御手段は、カメラで撮影されたユーザの所作に基づいて商品指定操作を判定することを特徴とする。
【０００９】
さらに本発明に係るカラオケ装置において、
前記商品指定処理における商品指定操作は、入力手段の操作により実行されることを特徴とする。
【００１０】
さらに本発明に係るカラオケ装置は、
前記演奏処理の終了後、前記商品指定処理で指定された商品の購入をユーザに確定させる確定処理を実行することを特徴とする。
【００１１】
さらに本発明に係るカラオケ装置において、
前記確定処理は、前記カラオケ装置を遠隔操作するリモコン装置で行われることを特徴とする。
【００１２】
さらに本発明に係るカラオケ装置において、
前記確定処理は、ユーザの所持する情報処理端末で行われることを特徴とする。
【発明の効果】
【００１３】
本発明のカラオケ装置によれば、演奏処理の期間中、商品情報に基づいて商品に関連する情報を表示させるとともに、同演奏処理の期間中に、当該表示されている商品を購入対象と指定可能としたことで、商品の販売促進性の向上が図られたものとなっている。
【図面の簡単な説明】
【００１４】
【図１】本発明の実施形態に係るカラオケシステムを示す図
【図２】本発明の実施形態に係るトップ画面を示す図
【図３】本発明の実施形態に係るユーザ情報を示す図
【図４】本発明の実施形態に係るユーザ情報の送受信の様子を示す図
【図５】本発明の実施形態に係る楽曲確認画面を示す図
【図６】本発明の実施形態に係る再生処理を示すフロー図
【図７】本発明の実施形態に係る商品情報のデータ構成を示す図
【図８】本発明の実施形態に係る演奏時のモニタの様子を示す図
【図９】本発明の実施形態に係る演奏時のモニタの様子（商品選択時）を示す図
【図１０】本発明の実施形態に係る演奏時のカラオケ装置、モニタの様子を示す図
【図１１】本発明の実施形態に係る商品購入確認画面を示す図
【図１２】本発明の実施形態に係る商品購入情報のデータ構成を示す図
【図１３】本発明の他の実施形態に係る演奏時のモニタの様子を示す図
【図１４】本発明の実施形態に係る商品購入確認処理を説明するための図
【発明を実施するための形態】
【００１５】
図１は、本発明の実施形態に係るカラオケシステムの構成を示す図である。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００１６】
カラオケボックスなどの店舗に設置されるカラオケ装置２は、楽曲を演奏するための演奏手段として音響制御部７０を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置
側記憶手段としてのＨＤＤ３２（ハードディスク）を備える。カラオケ装置２は、ＬＡＮ１００に接続してネットワークに加入するためのカラオケ装置側通信手段としてのインターフェイス部２４を備えている。
【００１７】
また、カラオケ装置２は、表示手段としてのモニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対して歌詞テロップを重畳する歌詞表示処理や、映像効果処理を実行する映像制御部３１を備えて構成される。
【００１８】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。また、カラオケ装置２に対する各種操作は、カラオケ装置２のフロントパネル等に設けられた操作部２１を介して行うことも可能となっている。
【００１９】
本実施形態のタッチパネルモニタ３３は、リモコン装置１の操作手段と同様の操作手段として機能することも可能としている。ユーザはタッチパネルモニタ３３から楽曲を選択して、直接カラオケ装置２に予約をさせるなど、リモコン装置１と同等の操作手段機能を利用することが可能である。
【００２０】
さらに、カラオケ装置２は、各構成を統括して制御するための制御手段として、ＣＰＵにて構成される制御部３０、各種プログラムを実行するにあたって必要となる情報を一時記憶するためのメモリ２７を備えて構成される。
【００２１】
カラオケ装置２には、撮影を行うための外部機器としてカメラ４５が接続されている。カメラ４５からのカメラ映像は、映像入出力を担う映像制御部３１を介して、記録手段としてのハードディスク３２に記録、そして、モニタ４１にリアルタイム表示することが可能である。このようにカラオケ装置２にカメラ４５を設けることで、記録された録画情報をカラオケ用ホストに送信し、インターネットを介して公開する投稿処理などを行うことが可能である。
【００２２】
このような構成にてカラオケ装置２は、各種処理を実行することとなるが、カラオケ装置２の主な機能として、楽曲を指定する指定処理、楽曲を再生する再生処理などを実行可能としている。指定処理は、ユーザからの指定に基づいて楽曲を指定、予約するための処理であってリモコン装置１と連携して実行される。リモコン装置１から送信された予約情報をメモリ２７に記憶する予約テーブルに登録する。再生処理は、予約された楽曲を演奏させる処理であって、演奏処理と歌詞再生処理とが同期して実行される処理である。
【００２３】
演奏処理は、楽曲データに含まれる演奏データを音響制御部７０にて演奏させる処理である。音響制御部７０にて演奏された楽曲は、歌唱用マイク４４ａ、４４ｂから入力される歌唱音声と一緒にスピーカ４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００２４】
一方、リモコン装置１は、予約情報などカラオケ装置２に対して各種指示を送信するとともに、カラオケ装置２あるいはインターネット上に接続されたカラオケ用ホスト（図示せず）から各種情報を受信する。リモコン装置１は、リモコン側表示手段としての表示部
１１と、ユーザからの各種入力を受け付ける操作部１７とを備える。また、リモコン装置１は、アクセスポイント１１０に無線接続し、ネットワークに加入するためのリモコン側通信手段としての無線ＬＡＮ通信部１６を備える。
【００２５】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１に対して表示する映像を形成する映像制御部１３、表示する映像情報を一時的に蓄えるビデオＲＡＭ１２、操作部１７からの入力を解釈して制御部１５に伝達する操作処理部１８が含まれている。また、リモコン装置１の表示部１１と操作部１７は一体となってタッチパネル表示画面を形成することとしてもよい。
【００２６】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００２７】
このようなリモコン装置１の構成により、ユーザからの各種入力を操作部１７にて受付けるとともに、映像情報を表示部１１に表示してユーザに対して各種情報を提供するとともに、カラオケ装置２に対して楽曲予約などの各種指示を送信することが可能とされている。
【００２８】
図２は、本発明の実施形態に係るトップ画面、すなわち、リモコン装置１を起動した直後の画面を示す図である。本実施形態では、リモコン装置１の表示部１１に表示を行うことで、リモコン装置１を操作するユーザに対して各種情報を提供する。なお、リモコン装置１の操作部１７としては、カーソルキーなどの各種機械的なスイッチの他、表示部１１に表示されたボタン、アイコンなどを直接タッチして操作を行うタッチパネルを採用することができる。
【００２９】
本実施形態のカラオケシステムは、複数のユーザが各リモコン装置１のタッチパネル表示画面から必要な情報（後述するユーザ識別情報やパスワード）を入力し、ログインすることが可能となっている。ユーザのログインに関する情報は画面上方に常時表示される。ログインしたユーザの分身像（アバター）を表示するためのログインユーザ欄１０３が設けられている。なお、分身像としては、人、キャラクターを模した像の他、図形や記号など各種形態を採用することができる。
【００３０】
また、アカウントを有していないユーザのためのゲストアイコン１０２、ユーザを切り替えるためのユーザ切替スイッチ１０１が表示されている。ログインしたユーザは、ログインユーザ欄１０３に表示される分身像を選択、あるいは、ユーザ切替スイッチ１０１を操作することで、自分のユーザ情報を利用した各種サービスを受けることが可能となる。また、アカウントを有していないユーザは、ゲストアイコン１０２を操作することで、選曲など一般的なサービスを受けることが可能となっている。なお、ユーザの切替の際には、パスワードなど認証を行うこととしてもよいが、認証を行うことなく簡易に切り替えることとしてもよい。
【００３１】
図３は、各ユーザ毎に、ホスト５に記憶されているユーザ情報を説明するための図である。本実施形態では、ユーザ情報として、個人情報、マイうたテーブル、支払い情報といった、ユーザに関する各種情報を含んで構成される。ユーザ情報は、カラオケ用ホストの
記憶部に予め記憶されている。また、ユーザ情報には、ユーザがリモコン装置１からカラオケ用ホスト５へログインしてこれら情報を利用するためのユーザ識別情報、パスワードが対応付けられている。個人情報には、ユーザ名（実際の名前に限ったものでなく、ニックネームであってもよい）、性別、年齢、年齢、うた年齢、誕生日、血液型、居住地、趣味などを含んで構成される。
【００３２】
マイうたテーブルは、ユーザによって登録された楽曲を記憶するテーブルであって、楽曲識別情報、音程調整値、過去の歌唱採点情報（最高点、もしくは、過去複数回のもの）などを含んで構成されている。ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うこともできる。
【００３３】
マイアーティストテーブルは、ユーザによって登録されたアーティスト（歌手）を記憶したテーブルであって、歌手識別情報を含んで構成されている。ユーザは、事前にこのマイアーティストテーブルにアーティスト（歌手）を登録しておくことで、登録しておいたアーティスト（歌手）の持ち歌を呼び出して予約、演奏させることが可能である。
【００３４】
さらに本実施形態のユーザ情報には、商品代金を払うための支払い情報が含まれている。この支払い情報は、ユーザが商品を購入するときに必要とされる情報であって、本実施形態では、商品の送付先となる商品送付住所、代引き、銀行振込、クレジットカード払いなどの支払い方法、決済に使用するクレジットカードを登録した場合には、そのクレジットカード情報が登録されている。この支払い情報を使用することで、当該ユーザに対し、後で説明する商品購入に関連する処理を実行することが可能となる。
【００３５】
図４は、このユーザ情報の送受信の様子を示した図である。カラオケ店舗に来店したユーザは、自己のユーザ識別情報とパスワードで構成された識別情報を入力、あるいは、リモコン装置１などに設けられたＩＣカードリーダーでＩＣカードに記憶されている識別情報を読み取らせることで認証処理Ｓ１０１を実行する。ユーザの識別情報を読み取った、カラオケ装置２あるいはリモコン装置１は、識別情報をカラオケ用ホスト５に送信し（Ｓ１０２）、識別情報を受信したカラオケ用ホスト５は記憶部５１に記憶されたデータベースから、該当するユーザのユーザ情報を抽出し（Ｓ１２１）、問い合わせのあったカラオケ装置２あるいはリモコン装置１に対して送信する（Ｓ１２２）。
【００３６】
ユーザ情報を受信したカラオケ装置２側では（Ｓ１０３）、受信したユーザ情報に基づいて、指定処理、再生処理など各種サービス処理が提供される（Ｓ１０４）。ユーザによりログアウトが要求される（Ｓ１０５）とサービス処理を中断し、サービス処理中における各種履歴（ログ）、あるいは、ユーザによる設定変更を反映したユーザ情報をカラオケ用ホスト５に送信する（Ｓ１０６）。ここで、ユーザ情報は、全ての情報を送信することの他、更新された差分だけを送信してもよい。カラオケ用ホスト５では、受信したユーザ情報に基づいて記憶部１に記憶されたデータベースの更新を実行する（Ｓ１２４）。
【００３７】
以上、１ユーザが認証処理（ログイン処理）してから、ログアウトするまでの流れを説明したが、本実施形態のカラオケ装置２、リモコン装置１は、認証された複数人（認証ユーザ）が同時にログインした状態で使用することが可能となっており、図２で説明したユーザインターフェイスを用いることで、サービスを提供するユーザ（以下、「アクティブユーザ」という）を切り替えて使用することが可能となっている。
【００３８】
図５は、本発明の実施形態に係る楽曲確認画面を示す図である。この図に示されるように、複数人がログインした状態ではログインユーザ欄１０３にログインしたユーザの分身
像１０３ａ〜１０３ｅ（本実施形態では顔部分）が表示される。またログインユーザ欄１０３中、右端に背景がハイライトで示されるユーザは、アクティブユーザ１０３ｅであって、図に示す状態では、このアクティブユーザ１０３ｅに対するサービス、すなわち、アクティブユーザ１０３ｅのユーザ情報を利用したサービスが実行されている状態となっている。
【００３９】
図５に示す楽曲確認画面は、アクティブユーザであるＡさんによりある楽曲が検索、指定された状態である。この楽曲確認画面中、右下に表示される「予約」ボタンを操作することで、楽曲の予約（指定処理）が実行される。「予約」ボタンが操作されると、リモコン装置１からカラオケ装置２に対して楽曲識別情報、ユーザ識別情報を含む予約情報が送信される。受信したカラオケ装置２では、予約情報を予約テーブルに順次追加して、演奏処理を実行する。
【００４０】
図６には、本発明の実施形態に係る再生処理を示すフロー図が示されている。本実施形態の再生処理は、カメラ４５で撮影された映像をモニタ４１にリアルタイム表示させることとしている。その際、撮影された映像は録画情報として記録して投稿処理などに使用することとしてもよい。
【００４１】
カラオケ装置２の電源投入後、演奏処理が開始されると、予約テーブルをチェック（Ｓ２０１）し、次に演奏する楽曲の有無が判定される（Ｓ２０２）。予約テーブル中、次に演奏する楽曲がある場合（Ｓ２０２：Ｙｅｓ）には、予約情報中に登録されている楽曲識別情報に対応する楽曲情報の再生を開始する（Ｓ２０３）。その際、カメラ４５にて歌唱者の歌唱の様子を撮影開始する（Ｓ２０４）。撮影された歌唱者の様子はモニタ４１にリアルタイム表示される。
【００４２】
図８には、本発明の実施形態に係る演奏時のモニタ４１の様子が示されている。モニタ４１の表示画面中、撮像表示領域Ｂにはカメラ４５で撮影された歌唱者の様子がリアルタイム表示されている。撮像表示領域Ｂに表示する際、カメラ４５で撮影された映像は、左右反転させている。このような左右反転表示により、モニタ４１に投影される歌唱者の像は鏡に映った場合と同じ状態となり、視認する際の違和感が抑制されたものとなっている。また、このモニタ４１には歌唱者が歌唱すべき歌詞が表示される歌詞表示領域が設けられている。
【００４３】
本実施形態では、このようなモニタ４１の表示画面内に、楽曲再生期間中に商品に関する情報を表示するとともに、当該商品の購入手続きを行うことを可能としている。特に、モニタ４１には、歌唱のための歌詞が表示されているため、同モニタ４１に商品に関連する情報を表示することで、商品の広告性が向上し、歌唱期間中に購入指定される可能性が向上する。
【００４４】
図７には、本発明の実施形態に係る商品情報のデータ構成が示されている。本実施形態の商品情報は、販売する商品を識別可能とする商品識別情報、商品名、商品カテゴリー、価格、商品画像、楽曲関連情報を含んで構成されている。このうち楽曲関連情報は、カラオケ装置２で演奏される楽曲と対応付けるための情報であり、個別楽曲の楽曲識別情報の他、楽曲のジャンル、アーティスト（歌手）のうち何れか１つ、もしくは、複数を採用することが可能である。この楽曲関連情報に基づいて、演奏される楽曲に応じた商品を推奨（表示）することが可能となる。
【００４５】
楽曲の再生を行う際、この商品情報に基づいて商品販売のための各種情報が表示される（Ｓ２０５）。図８の演奏時のモニタ４１の様子には、撮像表示領域Ｂの左上に商品表示
領域Ａが設けられ、推奨する商品に関連する情報（この場合、商品画像）が表示されている。表示する商品は、商品情報として扱う全ての商品の中から適宜（所定の順、ランダム）に選択してもよいが、商品情報中の楽曲関連情報を使用し、現在演奏されている楽曲に関連する商品を推奨することが好ましい。例えば、図８のモニタ４１の表示例では、演奏されている楽曲を含んだＣＤ（コンパクトディスク）が商品表示領域内に表示されている。商品情報として扱う商品は、このＣＤの他、ＤＶＤ、衣類、装飾品などの各種グッズなどあらゆる種類の商品を採用することが可能である。また、有体の商品に限られるものではなく、音楽データ、映像データなどの無体の商品（デジタルコンテンツ）としてもよい。
【００４６】
本実施形態では、このように楽曲演奏期間中に商品販売のための各種情報を表示するとともに、同演奏期間に歌唱するユーザから商品指定操作を受付可能とする点を特徴としている。このように、本実施形態では、演奏期間中に商品指定操作を受け付けることで、商品販売促進につなげることを可能としている。商品指定操作としては、各種形態が考えられるが、歌唱を行っているユーザが行う操作であることを考慮し、歌唱最中にも行うことのできる形態が好ましい。本実施形態では、カメラ４５で撮影された歌唱者の映像に基づいて判定することで、歌唱中のユーザでも手軽に消費指定操作を行うことを可能としている。
【００４７】
図９には、商品指定操作を行っているモニタ４１の様子が示されている。本実施形態では、カメラ４５の撮影映像中、ユーザの体の状態を画像認識することで、商品指定操作を判別することとしている。図９の形態では、ユーザの手の位置が商品に所定時間（数秒）以上触れることをもって判定している。このような形態では、ユーザの手の位置にて指定する商品を判別することが可能であるため、モニタ４１の表示画面には、同時に複数の商品表示領域Ａを表示することも可能である。このようにユーザの所作により指定した商品は、商品購入のためのカート内に格納される（Ｓ２０８）。カメラ４５で撮影された歌唱者の映像に基づく商品指定操作は、このような形態のみに限らず、単純にユーザが片手を上げるなど、所定の所作を認識することで判定することも可能である。このようにカメラ４５で撮影された歌唱者の映像を使用する形態では、ユーザの歌唱を妨げることなく、商品指定操作を行うことが可能である。
【００４８】
図１０には、他の実施形態に係る商品指定操作のためのインターフェイスが示されている。図８で説明したのと同様、モニタ４１には、商品表示領域Ａが設けられ、商品購入のための各種情報が表示される。図１で説明したようにカラオケ装置２には、タッチパネルモニタ３３が設けられているため、商品指定操作は、このタッチパネルモニタ３３を使用して行うこととしてもよい。図に示されるように、モニタ４１の商品表示領域Ａ中に、購入する商品に関連する情報が表示される。その際、タッチパネルモニタ３３には、メッセージと共に「カートに入れる」ボタンが表示される。商品表示領域Ａで推奨される商品の購入を希望するユーザは、この「カートに入れる」ボタンを操作（タッチ）することで当該商品をカートに入れる（Ｓ２０８）ことが可能となる。
【００４９】
この図１０で示す商品指定操作では、モニタ４１の近傍に設置されることが多いカラオケ装置２のフロントパネル部分に設けられたタッチパネルモニタ３３を使用して商品指定操作を行わせることで、歌唱者の歌唱位置に近い場所で商品指定操作を行うことを可能としている。商品指定操作には、このような形態の他、前奏、間奏、後奏中など歌唱期間以外の所定期間に歌唱用マイク４４に所定のコマンドを音声入力することで行わせることなど、歌唱を阻害しない形態で行うことが考えられる。
【００５０】
商品指定操作は、このような形態以外に、ユーザが所持するスマートフォン、携帯電話などの情報端末で行う形態としてもよい。予め、カラオケシステムとユーザが所持する情
報端末を連携させることで情報端末を入力手段として使用可能とし、情報端末にて商品指定操作を可能としてもよい。情報端末とカラオケシステムの連携は、情報端末にてカラオケシステムと同じアカウント情報でログインさせ、カラオケ用ホストを介して、同じアカウントでログインしているカラオケシステムを判別し、連携させるなど各種形態が考えられる。
【００５１】
情報端末を入力手段として使用する場合、情報端末が備えるタッチパネル、操作ボタンの他、加速度センサにて情報端末に加わる力に基づいて商品指定操作を判別することとしてもよい。例えば、歌唱中にユーザが手にする情報端末を所定回数振るなどの動作を検出した場合、モニタ４１に表示されている商品に対して商品指定操作が行われたことと判別することなどが考えられる。
【００５２】
このように、モニタ４１の商品表示領域Ａ中に、購入する商品に関連する情報を表示することで、歌唱中のユーザに商品を推奨、選択させることが可能となる。また、本実施形態では、商品に関連する情報が商品指定操作されることなく、一定時間経過した場合（Ｓ２０７：Ｙｅｓ）には、表示する商品を新たな商品情報に基づくものに更新することとしている（Ｓ２０９）。なお、商品指定操作が行われた場合も同様に、表示する商品の更新が実行される。
【００５３】
以上のＳ２０６〜Ｓ２０８を演奏期間中に実行することで、歌唱するユーザに対して商品を推奨するとともに、購入のための選択を行わせることが可能となる。本実施形態では、演奏期間中の商品指定操作に基づき、指定された商品をカート内に入れることとしており、カート内に入れた商品の購入決定は、リモコン装置１のアクティブユーザ画面で実行することとしている。すなわち、楽曲の演奏に使用された予約情報には、予約を行ったユーザ識別情報が含まれているため、どのユーザが商品購入を行ったかを特定することが可能である。
【００５４】
図１１には、本発明の実施形態に係る商品購入確認画面が示されている。歌唱を終えたユーザがリモコン装置１を操作して、自己のアクティブユーザ画面を表示させた場合、この商品購入確認画面が表示される。この商品購入確認画面は、図８などで商品表示領域Ａ内に表示させていた商品（ＣＤ）についての商品購入確認画面である。演奏期間中、複数の商品が指定された場合には、リスト形式などで指定された複数の商品が表示される。この場合、演奏期間中に商品を指定したユーザであるＡさんは、商品購入確認画面中の「購入」ボタンを操作することで、表示される商品の購入を確定させることが可能である。また、この画面には、数量選択ボタン、「キャンセル」ボタンが表示されており、購入する数量を変更すること、並びに、商品購入をキャンセルすることが可能となっている。
【００５５】
「購入」ボタンが操作された場合、カラオケ装置２は、カラオケ用ホスト、あるいは、商品販売用ホストなどに商品購入情報を送信する。図１２には、本発明の実施形態に係る商品購入情報のデータ構成が示されている。商品購入情報は、購入する商品の商品識別情報の他、購入者を示すユーザ識別情報、購入する商品の個数、代引き、クレジットカード払いなど商品代金の支払い指定情報を含んで構成されている。
【００５６】
カラオケ用ホスト、あるいは、商品販売用ホストは、この商品購入情報と、それに含まれるユーザ識別情報に対応するユーザ情報中の支払い情報とに基づいて、商品購入の決済を行うとともに、商品購入情報中に指定されている商品を、ユーザに対して発送する。図１１で購入決定したＣＤのような有体の商品の場合、商品の発送は宅配便などの運送手段で発送される。一方、商品がデジタルコンテンツの場合には、ユーザ情報中に登録されたメールアドレス、あるいは、ユーザ情報に紐付けされたコンテンツ管理サービスに対してデジタルコンテンツが送信、あるいは、コンテンツ管理サービスからデジタルコンテンツ
を受信可能な状態とする。
【００５７】
以上、楽曲演奏期間中にカートに入れた商品を、リモコン装置２の商品購入確認画面にて購入を確定させる一連の処理について説明したが、また、演奏中に推奨する商品情報は、ＣＤなど演奏される楽曲に関連する商品のみならず、衣類、装飾品など身につけるものとしてもよい。図１３には、演奏中に推奨する商品として帽子を使用した形態におけるモニタ４１の様子が示されている。本実施形態では、モニタ４１にカメラ４５にて撮影した歌唱者の様子が映し出されている。この歌唱者に対して、身につける商品を重畳させて表示させてもよい。その際、歌唱者において商品を身につける位置（帽子の場合は頭の位置）を画像認識技術を用いて検出し、当該位置に表示させることで、仮想的に試着させることが可能となる。ユーザは、商品を試着した形態で確認し、商品の購入可否を決定することが可能である。このような商品推奨の形態では、撮影された歌唱者の特徴に基づいて、当該特徴に応じた商品を推奨することとしてもよい。
【００５８】
また、商品購入の一連の処理は各種形態を採用することが可能である。例えば、上述の実施形態では、演奏期間中、商品指定操作が行われた場合、指定された商品をカートに入れるまでの処理としていたが、商品指定操作が行われることで、当該商品の購入を確定させることとしてもよい。
【００５９】
あるいは、商品指定操作で指定した商品の購入確定は、リモコン装置２ではなく、ユーザの所持する各種情報処理装置にて行わせることとしてもよい。図１４には、本発明の実施形態に係る商品購入確認処理を説明するための図が示されている。この実施形態では、演奏期間中の商品指定で形成された、商品購入情報は、カラオケ用ホスト５に対して送信される。商品購入情報を受信したカラオケ用ホストは、当該商品購入情報に含まれるユーザ識別情報に対応するメールアドレスに対して商品購入確認メールを送信する。この商品購入確認メールには、ユーザに商品購入の意思を確認するためのＷｅｂページリンクが記載されている。商品購入を指示したユーザは、パーソナルコンピュータあるいは携帯情報端末などの情報処理端末で、Ｗｅｂページに接続し、商品購入を確定させる、あるいは、キャンセルすることが可能である。
【００６０】
商品の購入確定は、このように商品購入確認メールにてユーザに商品の購入確定を案内する形態以外に、ユーザが自発的に、情報処理端末から自己のアカウントにアクセスして、自己のアカウントに対して関連づけられて登録された商品の購入を確定させることとしてもよい。
【００６１】
以上、説明したように本実施形態では、演奏期間中に、推奨する商品を表示させるとともに、同演奏期間中に購入を希望する商品を指定させることで、商品の販売促進性の向上を図ることを可能としている。
【００６２】
なお、本発明はこれらの実施形態のみに限られるものではなく、それぞれの実施形態の構成を適宜組み合わせて構成した実施形態も本発明の範疇となるものである。
【符号の説明】
【００６３】
１…リモコン装置、１１…表示部、１２…ビデオＲＡＭ、１３…映像制御部、１４…メモリ、１５…制御部、１６…無線ＬＡＮ通信部、１７…操作部、１８…操作処理部、１９…赤外線通信部、２…カラオケ装置（コマンダ）、２１…操作部、２２…操作処理部、２３…赤外線通信部、２４…インターフェイス部、２５…音声制御部、２６…ＭＩＤＩ音源、２７…メモリ、２８…ビデオＲＡＭ、２９…映像再生部、３０…制御部、３１…映像制御部、３２…ＨＤＤ（ハードディスク：記憶部）、３３…タッチパネルモニタ、３４…タッチパネル、３５…表示部、４１…モニタ、４２…スピーカ、４４ａ、４４ｂ…歌唱用マイ
ク、４５…カメラ、１００…ＬＡＮ、１１０…アクセスポイント、１２０…ルータ
【図１】
2014186214.tif 000003
【図２】
2014186214.tif 000004
【図３】
2014186214.tif 000005
【図４】
2014186214.tif 000006
【図５】
2014186214.tif 000007
【図６】
2014186214.tif 000008
【図７】
2014186214.tif 000009
【図８】
2014186214.tif 000010
【図９】
2014186214.tif 000011
【図１０】
2014186214.tif 000012
【図１１】
2014186214.tif 000013
【図１２】
2014186214.tif 000014
【図１３】
2014186214.tif 000015
【図１４】
2014186214.tif 000016